(57)【要約】【課題】  送風装置を搭載した電気機器において、送風装置の吹出部への塵埃の付着を抑制可能な電機機器を提供することを目的とする。【解決手段】  機器本体１内に送風装置２が収容された電気機器であって、送風装置２は、ファン１１と、ファン１１を収容するスクロール形状のケーシング７とを備え、ケーシング７は、渦巻き状のスクロール部８と、スクロール部８に連設される筒状の吹出部９とから構成され、吹出部９の内壁９a1で、ケーシングの舌部先端１０ａの近傍に、プラスイオン及びマイナスイオンを発生するイオン発生装置１２を設置する。【選択図】        図２
2015224836.tif 000002
【特許請求の範囲】
【請求項１】
機器本体内に送風装置が収容された電気機器であって、前記送風装置は、ファンと、前記ファンを収容するスクロール形状のケーシングとを備え、前記ケーシングは、渦巻き状のスクロール部と、前記スクロール部に連設される筒状の吹出部とから構成され、前記吹出部の内壁で、前記ケーシングの舌部先端の近傍に、プラスイオン及びマイナスイオンを発生するイオン発生装置が設けられたことを特徴とする電気機器。
【請求項２】
前記イオン発生装置は、前記ケーシングの舌部先端から送風方向下流側に連設されるケーシング側壁に設けられたことを特徴とする請求項１に記載の電気機器。
【請求項３】
前記吹出部は、前記スクロール部から上方に向かって配置されたことを特徴とする請求項１又は２に記載の電気機器。
【請求項４】
前記電気機器は、イオン発生機、空気清浄機、除湿機、加湿機、送風機又は空気調和機のいずれかである請求項１、２又は３に記載の電気機器。
【発明の詳細な説明】
【技術分野】
【０００１】
本発明は、スクロール構造のケーシングを有する送風装置を備えた電気機器に関する。
【背景技術】
【０００２】
従来、送風機能を備えた電気機器に搭載される送風装置として、具体的には、特許文献１や特許文献２に示すように、シロッコファンやターボファンなどのスクロール形状のケーシングを有する遠心ファンが多用されている。遠心ファンは、上記特許文献に示されているように、渦巻き状のスクロール部と、スクロール部に連設される筒状の吹出部とを備えており、スクロール部に取り入れた空気を吹出部から吹き出す構造とされる。
【先行技術文献】
【特許文献】
【０００３】
【特許文献１】特開２００３−１２０９７２号公報
【特許文献２】特開２００９−１８２２１号公報
【発明の概要】
【発明が解決しようとする課題】
【０００４】
ところで、上記電気機器に搭載した送風装置を稼動させると、ケーシング内を通過する空気とケーシングとの間で摩擦が生じ、ケーシングが帯電する。それにより、空気中に漂う塵埃が帯電したケーシングに付着・堆積し、衛生上好ましくないという問題があった。
【０００５】
そこで、本発明においては、上記に鑑み、送風装置の吹出部への塵埃の付着を抑制可能な電機機器を提供することを目的とする。
【課題を解決するための手段】
【０００６】
上記目的を達成するために、本発明では、機器本体内に送風装置が収容された電気機器であって、前記送風装置は、ファンと、前記ファンを収容するスクロール形状のケーシングとを備え、前記ケーシングは、渦巻き状のスクロール部と、前記スクロール部に連設される筒状の吹出部とから構成され、前記吹出部の内壁で、前記ケーシングの舌部先端の近傍に、プラスイオン及びマイナスイオンを発生するイオン発生装置が設けられたことを特徴とする。
【０００７】
上記構成によれば、吹出部にプラスイオン及びマイナスイオンを発生するイオン発生装置を設けたため、空気中の塵埃及びケーシングの内壁を電気的に中和することが可能となり、静電気による吹出部の内壁への塵埃の付着を抑制することができる。なお、前述の特許文献１及び２においても、吹出部にイオン発生装置が設置されているが、このイオン発生装置はマイナスイオンを発生させるのみであって、空気中の塵埃及び吹出部のケーシングの帯電を電気的に中和する（除電する）ことはできない。
【０００８】
さらに、本発明では、イオン発生装置を吹出部の内壁で、ケーシングの舌部先端の近傍に配置している。すなわち、スクロール形状のケーシングにおいては、吹出部を流れる空気の速さは均一ではなく、送風方向に直交する方向で見てケーシングの舌部に近づくほど風速が小さくなる。したがって、吹出部の内壁のなかでも、送風方向に直交する方向で見てケーシング舌部に近い側の内壁部分に塵埃がより堆積しやすくなる。
【０００９】
そこで、上記構成のごとく、吹出部内壁のうち、塵埃が堆積しやすい側（送風方向に直交する方向で見てケーシング舌部に近い側）で、最も送風方向上流に位置するケーシングの舌部先端の近傍にイオン発生装置を設置することにより、塵埃が堆積しやすい側の内壁の送風方向上流から下流に至る全ての領域において効果的に塵埃の付着を抑制することができる。
【発明の効果】
【００１０】
以上のとおり、本発明の電気機器は送風装置を搭載し、送風装置の吹出部の内壁で、ケーシングの舌部先端の近傍に、プラスイオン及びマイナスイオンを発生するイオン発生装置を設けたため、送風装置の吹出部への塵埃の付着を効果的に抑制することができる。
【図面の簡単な説明】
【００１１】
【図１】本発明の空気清浄機を示す側面図
【図２】図１のＡ−Ａ断面図
【図３】図２の一部拡大図
【発明を実施するための形態】
【００１２】
（第１の実施形態）
以下、図面に基づいて本発明の実施の形態を説明する。本実施形態では、スクロール形状のケーシングを有する送風装置を搭載した電気機器として、空気清浄機を例に挙げて説明する。図１は、本発明に係る空気清浄機の側面図を示し、図２は図１のＡ−Ａ断面図を示す。
【００１３】
図１及び図２に示すように、本実施形態の空気清浄機は、機器本体１内に送風装置２が収容されている。機器本体１には、空気吸込口３と、空気吹出口４とが設けられ、空気吸込口３から空気吹出口４に至る通風路５（図中、破線矢印で表示）が形成される。通風路５には送風方向（図中、破線矢印の方向）の上流側から順にフィルタ６と送風装置２とが介装される。空気吹出口４は、機器本体１の上部後側に設けられた後方吹出口４ａと機器本体１の上部前側に設けられた前方吹出口４ｂとからなり、大部分の空気は後方吹出口４ａから吹き出され、一部の空気が前方吹出口４ｂから吹き出される。
【００１４】
送風装置２は、スクロール形状（渦巻き形状）のケーシング７を有する。ケーシング７は、渦巻き状のスクロール部８と、スクロール部に連設される角筒状の吹出部９とから構成される。ケーシング７において、スクロール部８と吹出部９の境界には、舌部１０が形成される。
【００１５】
スクロール部８内には、遠心ファンとしてシロッコファン１１が収容される。吹出部９は、スクロール部８から後方吹出口４ａに向かって、すなわち、スクロール部８から後上方に向かって配置される。吹出部９は、横断面形状が矩形状に形成され、舌部１０から後方吹出口４ａに至る途中まで左右の幅が徐々に広がる拡幅部９ａとして形成され、拡幅部の下流側は一定幅の一定幅部９ｂとして後方吹出口４ａに至る。
【００１６】
したがって、拡幅部９ａにおけるケーシングの左右側壁のうち、舌部１０が形成されている側のケーシング側壁９a1は、側壁９a1に対向するケーシング側壁９a2に対し、送風方向下流側に行くほど両者が離間するように傾斜形成される。吹出部９は、一定幅部９ｂで分岐されており、後方吹出口４ａに至る通路よりも断面積の小さい通路が前方吹出口４ｂに接続される。これにより、スクロール部８から送出された空気は、大部分が後方吹出口４ａから吹き出されるとともに、一部の空気が前方吹出口４ｂから吹き出される。
【００１７】
図３は、図２の部分拡大図である。本発明においては、舌部先端１０ａの近傍に、プラスイオン及びマイナスイオンを発生するイオン発生装置１２が設けられる。これにより、以下の効果を奏する。なお、図中、吹出部９を流れる空気の向き及び速さを実線矢印の向き及び長さで示す。矢印の長さが長くなるほど、空気流れの速さ（風速）が速くなることを示す。
【００１８】
図示のごとく、スクロール形状のケーシング７を有する送風装置２においては、吹出部９を流れる空気の速さは均一ではなく、送風方向に直交する方向で見てケーシング７の舌部１０に近づくほど風速が小さくなる。従って、吹出部９の内壁のなかでも、送風方向に直交する方向で見てケーシング舌部に近い側の領域Ｒ（図中、二点鎖線で囲まれた領域）では、いったんケーシングの内壁に静電気によって塵埃が吸着すると、この領域Ｒを通過する空気の勢いだけでは塵埃を完全に吹き飛ばすことは難しく、結果的に塵埃が堆積しやすくなる。
【００１９】
そこで、上記構成のごとく、舌部先端１０ａの近傍にイオン発生装置１２を設けることにより、領域Ｒの全体に十分な濃度のプラスイオン及びマイナスイオンを供給することができる。そして、空気中の塵埃及び領域Ｒを中心にケーシングの内壁を電気的に中和することが可能となって、静電気による吹出部の内壁への塵埃の吸着を効果的に抑制することができる。
【００２０】
舌部先端１０ａの近傍とは、舌部先端１０ａから７ｃｍ以内とするのが好ましく、４ｃｍ以内とするのがより好ましい。これにより、舌部先端１０ａに近い位置からプラスイオン及びマイナスイオンを供給することができる。なお、イオン発生装置の設置位置は、舌部先端１０ａに近いほど好ましいが、設置スペースやイオン発生装置による風きり音等を考慮すれば１ｃｍ程度離すのが現実的である。
【００２１】
さらに、イオン発生装置１２を設ける吹出部９の壁としては、吹出部９の前壁や後壁でもよいが、ケーシングの舌部先端１０ａから送風方向下流側に連設されるケーシング側壁９a1に設けるのが好ましい。これにより、最も風速が遅くなるケーシング側壁９a1表面において十分な濃度のプラスイオン及びマイナスイオンを供給してケーシング側壁９a1及び塵埃を除電することができる。
【００２２】
さらに、本実施形態のように、吹出部９がスクロール部８から上方に向かって配置され手いる場合には、舌部１０が形成されている側のケーシング側壁９a1は、上向き傾斜面として形成される。したがって、空気清浄機（電気機器）の運転を停止したときに、空気中の塵埃は重力によって沈降し、ケーシング側壁９a1に積もることになる。
【００２３】
このような場合でも、イオン発生装置１２をケーシング側壁９a1上で、かつケーシングの舌部先端１０ａの近傍に設置することで、ケーシング側壁９a1上に溜まった塵埃を、吹出部９を通過する空気によって容易に吹き払うことができる。
【００２４】
以上、本発明の実施形態につき説明したが、本発明の範囲はこれに限定されるものではなく、発明の主旨を逸脱しない範囲で種々の変更を加えて実施することができる。
【００２５】
（第２の実施形態）
本実施形態では送風装置を搭載した電気機器として空気清浄機を挙げて説明したが、これに限らず、たとえば、空気清浄機のほかにイオン発生機、除湿機、加湿機、送風機又は空気調和機等であってもよい。
【００２６】
（第３の実施形態）
また、本実施形態では吹出部を分岐させて空気吹出口を２箇所設けているが、空気吹出口を１箇所することができるのは勿論である。さらに、本実施形態では、吹出部の下流側には一定幅部が形成されているが、一定幅部を形成せずに拡幅部のみとしてもよい。
【符号の説明】
【００２７】
１    機器本体
２    送風装置
３    空気吸込口
４    空気吹出口
５    通風路
６    フィルタ
７    ケーシング
８    スクロール部
９    吹出部
１０    舌部
１１    シロッコファン
１２    イオン発生装置
【図１】
2015224836.tif 000003
【図２】
2015224836.tif 000004
【図３】
2015224836.tif 000005